(57)【要約】【課題】ケースの接合部からの漏れを防止し、熱交換性能の向上及び製品の信頼性の向上を図ると共に、製造コストの低減化を図る。【解決手段】本発明は、チューブ１２と、チューブ１２の外周を囲繞するケース１３と、ケース１３の端部に設けられ、チューブ１２の端部が貫設されるヘッダプレート１４と、ヘッダプレート１４に嵌着されるタンク１５とを備えた熱交換器１１であって、ケース１３は、周壁に接合部の無いパイプ状部材１６により構成されていることを特徴とする。【選択図】図１
2008121975.tif 000002
【特許請求の範囲】
【請求項１】
チューブと、該チューブの外周を囲繞するケースと、該ケースの端部に設けられ、前記チューブの端部が貫設されるヘッダプレートと、該ヘッダプレートに嵌着されるタンクとを備えた熱交換器であって、
前記ケースは、周壁に接合部の無いパイプ状部材により構成されていることを特徴とする熱交換器。
【請求項２】
前記ヘッダプレートは、筒状部材を備えており、該筒状部材の一方の開口端部には、前記ケースの端部が嵌合可能なケース接合部が形成されている請求項１に記載の熱交換器。
【請求項３】
前記ヘッダプレートのケース接合部は、前記ケースの端部が嵌入可能なように形成されている請求項２に記載の熱交換器。
【請求項４】
前記ヘッダプレートの筒状部材の他方の開口端部には、前記タンクの端部が嵌合可能なタンク接合部が形成されている請求項１〜３のいずれか１の請求項に記載の熱交換器。
【請求項５】
前記ヘッダプレートのタンク接合部は、前記タンクの端部が嵌入可能なように形成されている請求項４に記載の熱交換器。
【発明の詳細な説明】
【技術分野】
【０００１】
本発明は、熱交換器に関し、特に、コアを囲繞するケースと、該ケースの端部に設けられるヘッダプレートと、該ヘッダプレートに嵌着されるタンクとを一体にロー付け可能な熱交換器に関する。
【背景技術】
【０００２】
従来、車輌等のエンジンから排出される排気ガスを冷却するＥＧＲ（Exhaust Gas Recirculation）クーラ等において、コアの外周を囲繞するケースを備えた熱交換器が用いられている。
【０００３】
この種の熱交換器に設けられるケースの周壁部には、図３又は図４に示されているように、縁部１，２同士が軸方向に重合して接合部３が形成されていると共に、該接合部３に沿ってロー付け空間４が形成されている。そして、このロー付け空間４にロー材が充填され、接合部３において縁部１，２同士がロー付け接合されることにより、ケースが筒状に形成されるようになっている。また、このケースの両端部にはヘッダプレートと、該ヘッダプレートに嵌着されるタンクとが設けられており、ケースとヘッダプレート、及びヘッダプレートとタンクとはそれぞれロー付け接合されるようになっている（例えば、特許文献１参照）。
【特許文献１】特開２００３−１０６７９０号公報
【発明の開示】
【発明が解決しようとする課題】
【０００４】
しかしながら、上記した従来の熱交換器では、図３及び図４に示されているように、ケースの端部においてロー付け空間４が露出するため、ロー付け空間４の端部からロー材が流れ出し、接合部３に隙間が生じ、その隙間からケース内の流体が漏出するといった問題があった。
【０００５】
そのため、ケースは、縁部１，２同士を溶接接合することにより成形されるのが主流となっており、このことが製造コストの増大要因になり、製造コストの低減化が図り難いといった問題があった。
【０００６】
本発明は、上記した課題を解決すべくなされたものであり、ケースの接合部からの漏れを防止し、熱交換性能の向上及び製品の信頼性の向上を図ると共に、製造コストの低減化を図ることのできる熱交換器を提供することを目的とするものである。
【課題を解決するための手段】
【０００７】
上記した目的を達成するため、本発明は、チューブと、該チューブの外周を囲繞するケースと、該ケースの端部に設けられ、前記チューブの端部が貫設されるヘッダプレートと、該ヘッダプレートに嵌着されるタンクとを備えた熱交換器であって、前記ケースは、周壁に接合部の無いパイプ状部材により構成されていることを特徴とする。
【０００８】
そして、前記ヘッダプレートは、筒状部材を備えており、該筒状部材の一方の開口端部には、前記ケースの端部が嵌合可能なケース接合部が形成されていてもよい。
【０００９】
また、前記ヘッダプレートのケース接合部は、前記ケースの端部が嵌入可能なように形成されていてもよい。
【００１０】
さらに、前記ヘッダプレートの筒状部材の他方の開口端部には、前記タンクの端部が嵌合可能なタンク接合部が形成されていてもよい。
【００１１】
さらにまた、前記ヘッダプレートのタンク接合部は、前記タンクの端部が嵌入可能なように形成されていてもよい。
【発明の効果】
【００１２】
本発明によれば、ケースが周壁に接合部の無いパイプ状部材により構成されているため、ケースの製造時における溶接工程を省略することができると共に、ケースからの漏れを防止することができる。したがって、熱交換性能の向上及び品質の向上を図ることができ、製品の信頼性を高めることができる。
【００１３】
また、ケースをヘッダプレートやタンク等と一体ロー付けすることができるようになり、さらに、ケースとタンクは、ヘッダプレートに嵌合されることにより、ヘッダプレートに支持固定されるため、ロー付け時にケースやタンクを支持固定するための治具が不要となる。したがって、ロー付けのための炉の使用効率を高めることができると共に、治具の費用を削減することができ、熱交換器の生産性の向上及び製造コストの低減化を図ることができる等、種々の優れた効果を得ることができる。
【発明を実施するための最良の形態】
【００１４】
以下、図１及び図２を参照しつつ、本発明の実施の形態について説明する。ここで、図１は本実施の形態に係る熱交換器を示す断面図、図２は本実施の形態に係る熱交換器のヘッダプレートを示す斜視図である。
【００１５】
本実施の形態に係る熱交換器１１は、複数並設された扁平チューブ１２の外周を囲繞するケース１３と、ケース１３の両端部に設けられ、各扁平チューブ１２の両端部が貫設されるヘッダプレート１４と、開口端を有する箱状を成し、該開口端が閉塞される向きにヘッダプレート１４に嵌着されるタンク１５とを備えて構成されている。
【００１６】
ケース１３は、角筒状を成しており、周壁に接合部の無いパイプ状部材１６により構成されている。また、ヘッダプレート１４は、角筒状部材１７の内部の略中央部分に仕切板１８が設けられて構成されており、断面Ｈの字状を成している。そして、角筒状部材１７には、一方の開口端部（図１中の下端部）にケース１３の端部が嵌入可能なケース接合部１９が形成されていると共に、他方の開口端部（図１中の上端部）にタンク１５の端部が嵌入可能なタンク接合部２０が形成されている。また、仕切板１８には、扁平チューブ１２の数に対応して長孔２１が穿設されており、この長孔２１に扁平チューブ１２が貫設可能となっている。
【００１７】
なお、ケース１３やヘッダプレート１４の形状は、上記した形状に限定する趣旨ではなく、円筒状等、他の形状に形成する等、各種変更が可能である。
【００１８】
また、上記実施の形態において、ケース接合部１９及びタンク接合部２０は、それぞれ、ケース１３及びタンク１５が嵌入可能なように形成されているが、これは単なる例示に過ぎず、例えば、ケース接合部１９及びタンク接合部２０がケース１３及びタンク１５に嵌入可能なように形成する等、ケース接合部１９及びタンク接合部２０は、ケース１３及びタンク１５が嵌合可能なように形成されていればよい。
【００１９】
そして、このような構成を備えた熱交換器１１を製造する場合、ヘッダプレート１４の長孔２１に扁平チューブ１２を貫設すると共に、ヘッダプレート１４のケース接合部１９にケース１３の端部を嵌入する。さらに、ヘッダプレート１４のタンク接合部２０には、タンク１５の端部を嵌入し、熱交換器１１を組み付ける。
【００２０】
その後、このように組み付けた熱交換器１１を、高温の炉内に入れ、扁平チューブ１２とヘッダプレート１４、ヘッダプレート１４とケース１３及びタンク１５の各接合箇所を一体ロー付けし、熱交換器１１を製造する。
【００２１】
このように上記した実施の形態に係る熱交換器によれば、ケース１３が周壁に接合部の無いパイプ状部材により構成されているため、ケース１３の製造時における溶接工程を省略することができると共に、ケース１３からの漏れを防止することができる。したがって、熱交換性能の向上及び品質の向上を図ることができ、製品の信頼性を高めることができる。
【００２２】
また、ケース１３をヘッダプレート１４やタンク１５等と一体ロー付けすることができるようになり、さらに、ケース１３とタンク１５は、ヘッダプレート１４に嵌合されることにより、ヘッダプレート１４に支持固定されるため、ロー付け時にケース１３やタンク１５を支持固定するための治具が不要となる。したがって、ロー付け用の炉の使用効率を高めることができると共に、治具の費用を削減することができ、熱交換器の生産性の向上及び製造コストの低減化を図ることができる。
【図面の簡単な説明】
【００２３】
【図１】本発明の実施の形態に係る熱交換器を示す断面図である。
【図２】本発明の実施の形態に係る熱交換器のヘッダプレートを示す斜視図である。
【図３】従来例を示す断面図である。
【図４】従来例を示す断面図である。
【符号の説明】
【００２４】
１１          熱交換器
１２          扁平チューブ
１３          ケース
１４          ヘッダプレート
１５          タンク
１６          パイプ状部材
１７          筒状部材
１９          ケース接合部
２０          タンク接合部
【図１】
2008121975.tif 000003
【図２】
2008121975.tif 000004
【図３】
2008121975.tif 000005
【図４】
2008121975.tif 000006